(57)【要約】チャネル推定を実施するための基準信号シーケンスを生成するための方法および装置。一実施形態では、本方法は、初期化値を判定することと、初期化値を所定の正の整数Ｍ未満であるように限定し、限定された初期化値を提供することと、限定された初期化値を、所定の数Ｌのシーケンス値を有する初期化シーケンスの中にマッピングすることと、初期化シーケンスを擬似乱数生成器に提供し、擬似乱数シーケンスを生成することと、ＰＲＮＳに基づいて、ＲＳシーケンスを生成することとを含む。
2020530212.tif 000002
【特許請求の範囲】
【請求項１】
無線通信デバイスにおいて基準信号シーケンスを生成するための方法であって、前記方法は、
初期化値を判定することと、
前記初期化値を所定の正の整数Ｍ未満であるように限定し、限定された初期化値を提供することと、
前記限定された初期化値を、所定の数Ｌのシーケンス値を有する初期化シーケンスの中にマッピングすることと、
前記初期化シーケンスを擬似乱数生成器に提供し、擬似乱数シーケンスを生成することと、
前記擬似乱数シーケンスに基づいて、前記基準信号シーケンスを生成することと
を含む、方法。
【請求項２】
前記初期化値ｃｉｎｉｔは、前記擬似乱数シーケンスに提供される前記初期化シーケンス内の要素の数と等しい、Ｌに基づいて計算され、ｎｓ’は、ＯＦＤＭフレーム内のスロットインデックスであり、ｌは、ＯＦＤＭシンボルインデックスであり、
【数２１】
2020530212.tif 000016
は、セルインデックスであり、ＮＣＰは、ＯＦＤＭシンボルの巡回プレフィックスに関連するパラメータである、請求項１に記載の方法。
【請求項３】
前記初期化値ｃｉｎｉｔは、
【数２２】
2020530212.tif 000017
に基づいて計算され、前記所定の値Ｍは、２＾Ｌと等しい、請求項２に記載の方法。
【請求項４】
ＮＣＰは、通常巡回プレフィックスに関しては、１と、拡張巡回プレフィックスに関しては、０と等しい、請求項３に記載の方法。
【請求項５】
Ｌ＝３１である、請求項３に記載の方法。
【請求項６】
前記初期化値を限定することは、前記初期化値を計算するために使用される入力パラメータを所定の整数Ｎ未満であるように限定することを含む、請求項１に記載の方法。
【請求項７】
前記入力パラメータは、時間値を表す、請求項６に記載の方法。
【請求項８】
前記時間値は、直交周波数分割多重化（ＯＦＤＭ）フレームのスロットインデックスからの値を備える、請求項７に記載の方法。
【請求項９】
前記時間値は、直交周波数分割多重化（ＯＦＤＭ）シンボルのインデックスからの値を備える、請求項７に記載の方法。
【請求項１０】
前記時間値は、規定された時間インターバル内の直交周波数分割多重化（ＯＦＤＭ）シンボルの数の所定の関数から計算される、請求項７に記載の方法。
【請求項１１】
前記限定された入力パラメータ値は、前記入力パラメータ値およびＮで実施されるモジュロ演算に基づいて計算される、請求項６に記載の方法。
【請求項１２】
前記入力パラメータは、セルインデックスを備える、請求項６に記載の方法。
【請求項１３】
チャネル推定を実施するための基準信号シーケンスを生成するように構成された無線通信デバイスであって、前記無線通信デバイスは、
少なくとも１つのプロセッサであって、前記少なくとも１つのプロセッサは、
初期化値を判定することと、
前記初期化値を所定の値Ｍ未満であるように限定し、限定された初期化値を提供することであって、Ｍは、正の整数である、ことと、
前記限定された初期化値を、所定の数Ｌのシーケンス値を有する初期化シーケンスの中にマッピングすることと、
前記初期化シーケンスを擬似乱数生成器に提供し、擬似乱数シーケンスを生成することと、
前記擬似乱数シーケンスに基づいて、前記基準信号シーケンスを生成することと
を行うように構成されている、少なくとも１つのプロセッサと、
前記基準信号シーケンスを別の無線通信デバイスに伝送するように構成された送受信機と
を備える、無線通信デバイス。
【請求項１４】
前記初期化値ｃｉｎｉｔは、前記擬似乱数シーケンスに提供される前記初期化シーケンス内の要素の数と等しい、Ｌに基づいて計算され、ｎｓ’は、ＯＦＤＭフレーム内のスロットインデックスであり、ｌは、ＯＦＤＭシンボルインデックスであり、
【数２３】
2020530212.tif 000018
は、セルインデックスであり、ＮＣＰは、ＯＦＤＭシンボルの巡回プレフィックスに関連するパラメータである、請求項１３に記載の無線通信デバイス。
【請求項１５】
前記初期化値ｃｉｎｉｔは、
【数２４】
2020530212.tif 000019
に基づいて計算され、前記所定の値Ｍは、２＾Ｌと等しい、請求項１４に記載の無線通信デバイス。
【請求項１６】
ＮＣＰは、通常巡回プレフィックスに関しては、１と、拡張巡回プレフィックスに関しては、０と等しい、請求項１５に記載の無線通信デバイス。
【請求項１７】
Ｌ＝３１である、請求項１５に記載の無線通信デバイス。
【請求項１８】
前記少なくとも１つのプロセッサは、前記初期化値を計算するために使用される入力パラメータを所定の整数Ｎ未満であるように限定することによって、前記初期化値を限定するように構成されている、請求項１３に記載の無線通信デバイス。
【請求項１９】
前記入力パラメータは、時間値を表す、請求項１８に記載の無線通信デバイス。
【請求項２０】
前記時間値は、直交周波数分割多重化（ＯＦＤＭ）フレームのスロットインデックスからの値を備える、請求項１９に記載の無線通信デバイス。
【請求項２１】
前記時間値は、直交周波数分割多重化（ＯＦＤＭ）シンボルのインデックスからの値を備える、請求項１９に記載の無線通信デバイス。
【請求項２２】
前記時間値は、規定された時間インターバル内の直交周波数分割多重化（ＯＦＤＭ）シンボルの数の所定の関数から計算される、請求項１９に記載の無線通信デバイス。
【請求項２３】
前記限定された入力パラメータ値は、前記入力パラメータ値およびＮで実施されるモジュロ演算に基づいて計算される、請求項１８に記載の無線通信デバイス。
【請求項２４】
前記入力パラメータは、基地局のインデックスを備える、請求項１８に記載の無線通信デバイス。
【発明の詳細な説明】
【技術分野】
【０００１】
（技術分野）
本開示は、概して、無線通信に関し、より具体的には、無線通信のための基準信号シーケンスを生成するためのシステムおよび方法に関する。
【背景技術】
【０００２】
（背景）
第５世代新電波（５Ｇ  ＮＲ）無線通信ネットワークは、提案される次世代無線通信ネットワークであり、それに関する電気通信規格が、現在開発中である。５Ｇ  ＮＲネットワークは、完全モバイル式かつ接続された社会を可能にするためのエンドツーエンドエコシステムとなるであろう。次世代モバイルネットワークアライアンスは、５Ｇ  ＮＲネットワークが、２０２０年までに、事業および消費者需要を満たすために展開されるであろうと推定している。より高速の速度を提供することに加え、５Ｇ  ＮＲネットワークはまた、モノのインターネット（インターネット接続デバイス）ならびに自然災害時におけるブロードキャスト様サービスおよびライフライン通信等の新しいユースケースを満たす必要があるであろうことが予測される。キャリア、チップメーカー、相手先ブランド製造者（ＯＥＭＳ）、および後工程受託メーカー（ＯＳＡＴ）は、モバイルシステムおよび基地局が、新しいかつより高速のアプリケーションプロセッサ、ベースバンド、およびＲＦデバイスを要求するであろうため、本次世代（５Ｇ）無線規格に備えている。それらの現在の４Ｇ規格に定義されるもの以上の能力を定義する、更新された規格が、検討中であるが、それらの新しい能力は、現在のＩＴＵ−Ｔ  ４Ｇ規格下でグループ化されている。
【０００３】
現在の規格では、基準信号（ＲＳ）が、典型的には、基地局（ＢＳ）において生成され、次いで、ユーザ機器（ＵＥ）デバイスに伝送され、チャネル推定を実施する。ＲＳは、次いで、受信側ＵＥデバイスによって使用され、基準信号受信電力（ＲＳＲＰ）測定等のチャネル推定測定を実施する。その後、ＵＥデバイスは、測定結果を含有する報告を生成し、これは、次いで、ＢＳに返信される。報告の受信に応じて、ＢＳは、ＵＥデバイスとのさらなるデータ通信のために、ＲＳを伝送するために使用される特定のチャネルを使用するかどうかを決定することができる。複数の指向性ビームがＵＥデバイスと通信するために使用され得る、ビーム形成技法を実装する、多重入力／多重出力（ＭＩＭＯ）システムでは、ＢＳは、そのようなチャネル推定技法を使用して、特定のＵＥデバイスと通信するための最良ビームを識別することができる。ＲＳはまた、受信側ＵＥデバイスによって使用され、プリコーディングマトリクスインジケータ（ＰＭＩ）測定等のチャネル推定測定を実施する。その後、ＵＥデバイスは、測定結果を含有する報告を生成し、これは、次いで、ＢＳに返信される。報告の受信に応じて、ＢＳは、ＵＥデバイスとのさらなるデータ通信のための具体的プリコーディングマトリクスを決定することができる。
【０００４】
しかしながら、５Ｇ  ＮＲネットワークでは、各ＢＳのエリアカバレッジは、ＬＴＥにおけるＢＳのカバレッジエリアより小さくなり、その結果、所与のエリア内のＢＳの数が、現在のＬＴＥネットワークと比較して、より大きくなるであろうことが考慮される。加えて、５Ｇ  ＮＲネットワークにおけるサブキャリア間隔（ＳＣＳ）は、増加するであろう（例えば、１５ＫＨｚ〜４８０ＫＨｚの範囲内の複数のＳＣＳが、サポートされ得る）ことが考慮される。本考慮される５Ｇ  ＮＲシステムにおけるＢＳおよびＳＣＳの数の増加は、さらに下記に議論されるように、チャネル推定のための基準信号を生成するために、潜在的問題を呈するであろう。
【０００５】
基準信号は、基準信号シーケンスから生成され、これは、ひいては、擬似乱数生成器（ＰＲＮＧ）によって提供される擬似乱数シーケンス（ＰＲＮＳ）から生成される。ＰＮＲＧは、固定長Ｌの初期化シーケンスによって初期化され、これは、ひいては、初期化シーケンス値（ｃｉｎｉｔ）によって生成され、これは、ひいては、ＢＳセルＩＤ数およびＳＣＳ等のパラメータの値に依存する。所与のエリア内のＢＳの数が増加するにつれて、ＢＳセルＩＤの可能性として考えられる値もまた、比例的に増加する。したがって、ｃｉｎｉｔは、大きくなりすぎ（例えば、２＾３１を上回り、これは、２の３１乗を意味する）、Ｌより大きい初期化シーケンス長をもたらし得、これは、長すぎて、ＲＳシーケンスを生成するために使用されるＰＲＮＳを生成するためにＰＲＮＧによって使用されることができない。したがって、基準信号シーケンスを生成するための現在の技法は、検討される５Ｎ  ＮＲネットワークのために満足の行くものではないであろう。
【発明の概要】
【課題を解決するための手段】
【０００６】
（発明の要約）
本明細書に開示される例示的実施形態は、先行技術に提示される問題のうちの１つ以上に関連する問題を解法し、かつ添付の図面と関連して検討されるときに以下の発明を実施するための形態を参照することによって容易に明白であろう、付加的特徴を提供することを対象とする。種々の実施形態によると、例示的システム、方法、デバイス、およびコンピュータプログラム製品が、本明細書に開示される。しかしながら、これらの実施形態は、限定ではなく、一例として提示されることが理解され、開示される実施形態に対する種々の修正が、本発明の範囲内に留まったまま行われることができることが、本開示を熟読する当業者に明白となるであろう。
【０００７】
一実施形態では、無線通信デバイスにおいて基準信号（ＲＳ）シーケンスを生成するための方法は、初期化値を判定することと、初期化値を所定の正の整数Ｍ未満であるように限定し、限定された初期化値を提供することと、限定された初期化値を、所定の数Ｌのシーケンス値を有する初期化シーケンスの中にマッピングすることと、初期化シーケンスを擬似乱数生成器（ＰＲＮＧ）に提供し、擬似乱数シーケンス（ＰＲＮＳ）を生成することと、ＰＲＮＳに基づいて、ＲＳシーケンスを生成することとを含む。
【０００８】
別の実施形態では、無線通信デバイスは、少なくとも１つのプロセッサであって、少なくとも１つのプロセッサは、初期化値を判定することと、初期化値を所定の正の整数Ｍ未満であるように限定し、限定された初期化値を提供することと、限定された初期化値を、所定の数Ｌのシーケンス値を有する初期化シーケンスの中にマッピングすることと、初期化シーケンスを擬似乱数生成器（ＰＲＮＧ）に提供し、擬似乱数シーケンス（ＰＲＮＳ）を生成することと、ＰＲＮＳに基づいて、ＲＳシーケンスを生成することとを行うように構成される、少なくとも１つのプロセッサと、ＲＳシーケンスを別の無線通信デバイスに伝送するように構成される、送受信機とを含む。
【０００９】
本発明の種々の例示的実施形態は、以下の図を参照して下記に詳細に説明される。図面は、例証目的のためだけに提供され、単に、本発明の読者の理解を促進するための本発明の例示的実施形態を描写する。したがって、図面は、本発明の範疇、範囲、または可用性の限定と見なされるべきではない。明確にするため、かつ例証の容易性のため、これらの図面は、必ずしも、正確な縮尺で描かれていないことに留意されたい。
【図面の簡単な説明】
【００１０】
【図１】図１は、本開示のある実施形態による、本明細書に開示される技法が実装され得る、例示的セルラー通信ネットワークを図示する。
【００１１】
【図２】図２は、本発明のいくつかの実施形態による、例示的基地局およびユーザ機器デバイスのブロック図を図示する。
【００１２】
【図３】図３は、一実施形態による、基準信号シーケンスを生成するためのプロシージャのプロセスフローを図示する。
【００１３】
【図４】図４は、別の実施形態による、基準信号シーケンスを生成するための初期化シーケンスを生成するためのプロシージャのプロセスフローを図示する。
【００１４】
【図５】図５は、さらなる実施形態による、基準信号シーケンスを生成するための初期化シーケンスを生成するためのプロシージャのプロセスフローを図示する。
【００１５】
【図６】図６は、さらに別の実施形態による、基準信号シーケンスを生成するための初期化シーケンスを生成するためのプロシージャのプロセスフローを図示する。
【００１６】
【図７】図７は、さらなる実施形態による、基準信号シーケンスを生成するための初期化シーケンスを生成するためのプロシージャのプロセスフローを図示する。
【発明を実施するための形態】
【００１７】
（例示的実施形態の詳細な説明）
本発明の種々の例示的実施形態は、当業者が本発明を作製および使用することを可能にするために、付随の図を参照して下記に説明される。当業者に明白となるであろうように、本開示を熟読後、本明細書に説明される実施例の種々の変更または修正が、本発明の範囲から逸脱することなく、行われることができる。したがって、本発明は、本明細書に説明および図示される例示的実施形態および用途に限定されない。加えて、本明細書に開示される方法におけるステップの具体的順序または階層は、単に、例示的アプローチである。設計選好に基づいて、開示される方法またはプロセスのステップの具体的順序または階層は、本発明の範囲内に留まったまま、並べ替えられることができる。したがって、当業者は、本明細書に開示される方法および技法が、種々のステップまたは行為をサンプル順序において提示し、本発明が、明示的にそうではないことが述べられない限り、提示される具体的順序または階層に限定されないことを理解するであろう。
【００１８】
図１は、本開示の種々の実施形態による、本明細書に開示される技法が実装され得る、例示的無線通信ネットワーク１００を図示する。例示的通信ネットワーク１００は、基地局（ＢＳ）１０２と、通信リンク１１０（例えば、無線通信チャネル）を介して相互に通信し得る、ユーザ機器（ＵＥ）デバイス１０４と、地理的エリア１０１にオーバーレイする、概念セル１２６、１３０、１３２、１３４、１３６、１３８、および１４０のクラスタとを含む。図１では、ＢＳ１０２およびＵＥ１０４は、セル１２６の地理的境界内に含有される。他のセル１３０、１３２、１３４、１３６、１３８、および１４０のそれぞれは、その配分された帯域幅で動作し、適正な電波カバレッジをその意図されるユーザに提供する、少なくとも１つの基地局を含んでもよい。例えば、基地局１０２は、配分されたチャネル伝送帯域幅で動作し、適正なカバレッジをＵＥ１０４に提供し得る。基地局１０２およびＵＥ１０４は、それぞれ、ダウンリンク電波フレーム１１８およびアップリンク電波フレーム１２４を介して、通信してもよい。各電波フレーム１１８／１２４は、データシンボル１２２／１２８を含み得る、サブフレーム１２０／１２６にさらに分割されてもよい。本開示では、基地局（ＢＳ）１０２およびユーザ機器（ＵＥ）１０４は、概して、本明細書に開示される方法を実践し得る、「通信デバイス」の非限定的実施例として本明細書に説明される。そのような通信デバイスは、本発明の種々の実施形態によると、無線および／または有線通信することが可能であり得る。
【００１９】
図２は、本発明のいくつかの実施形態による、無線通信信号、例えば、ＯＦＤＭ／ＯＦＤＭＡ信号を伝送および受信する、例示的無線通信システム２００のブロック図を図示する。システム２００は、本明細書に詳細に説明される必要はない、既知または従来の動作特徴をサポートするように構成される、コンポーネントおよび要素を含んでもよい。一例示的実施形態では、システム２００は、上記に説明されるように、図１の無線通信環境１００等の無線通信環境内でデータシンボルを伝送および受信するために使用されることができる。
【００２０】
システム２００は、概して、基地局２０２と、ＵＥ２０４とを含む。基地局２０２は、ＢＳ送受信機モジュール２１０と、ＢＳアンテナ２１２と、ＢＳプロセッサモジュール２１４と、ＢＳメモリモジュール２１６と、ネットワーク通信モジュール２１８とを含み、各モジュールは、必要に応じて、データ通信バス２２０を介して、相互に結合および相互接続される。ＵＥ２０４は、ＵＥ送受信機モジュール２３０と、ＵＥアンテナ２３２と、ＵＥメモリモジュール２３４と、ＵＥプロセッサモジュール２３６とを含み、各モジュールは、必要に応じて、データ通信バス２４０を介して、相互に結合および相互接続される。ＢＳ２０２は、任意の無線チャネルまたは本明細書に説明されるようなデータの伝送のために好適な当技術分野において公知の他の媒体であり得る、通信チャネル２５０を介して、ＵＥ２０４と通信する。
【００２１】
当業者によって理解されるであろうように、システム２００はさらに、図２に示されるモジュール以外の任意の数のモジュールを含んでもよい。当業者は、本明細書に開示される実施形態に関連して説明される、種々の例証的ブロック、モジュール、回路、および処理論理が、ハードウェア、コンピュータ可読ソフトウェア、ファームウェア、または任意の実践的それらの組み合わせにおいて実装されてもよいことを理解するであろう。ハードウェア、ファームウェア、およびソフトウェアの本可換性および互換性を明確に図示するために、種々の例証的コンポーネント、ブロック、モジュール、回路、およびステップが、概して、その機能性の観点から説明される。そのような機能性が、ハードウェア、ファームウェア、またはソフトウェアとして実装されるかどうかは、特定の用途および全体的システム上に課される設計制約に依存する。本明細書に説明される概念に精通する者は、そのような機能性を特定の用途毎に好適な様式で実装してもよいが、そのような実装決定は、本発明の範囲を限定するものとして解釈されるべきではない。
【００２２】
いくつかの実施形態によると、ＵＥ送受信機２３０は、本明細書では、それぞれ、アンテナ２３２に結合される、ＲＦ送信機および受信機回路を含む、「アップリンク」送受信機２３０と称され得る。デュプレックススイッチ（図示せず）が、代替として、時間デュプレックス方式において、アップリンク送信機または受信機をアップリンクアンテナに結合してもよい。同様に、いくつかの実施形態によると、ＢＳ送受信機２１０は、本明細書では、それぞれ、アンテナ２１２に結合される、ＲＦ送信機および受信機回路を含む、「ダウンリンク」送受信機２１０と称され得る。ダウンリンクデュプレックススイッチ（図示せず）は、代替として、時間デュプレックス方式において、ダウンリンク送信機または受信機をダウンリンクアンテナ２１２に結合してもよい。２つの送受信機２１０および２３０の動作は、アップリンク受信機が、無線伝送リンク２５０にわたる伝送の受信のために、アップリンクアンテナ２３２に結合されるのと同時に、ダウンリンク送信機が、ダウンリンクアンテナ２１２に結合されるように、時間的に協調される。好ましくは、最小限の保護時間のみをデュプレックス方向の変化間に伴って、近接時間同期が存在する。
【００２３】
ＵＥ送受信機２３０および基地局送受信機２１０は、無線データ通信リンク２５０を介して通信し、特定の無線通信プロトコルおよび変調スキームをサポートし得る、好適に構成されたＲＦアンテナ配列２１２／２３２と協働するように構成される。いくつかの例示的実施形態では、ＵＥ送受信機６０８および基地局送受信機６０２は、ロングタームエボリューション（ＬＴＥ）および新たな５Ｇ規格ならびに同等物等の産業規格をサポートするように構成される。しかしながら、本発明は、必ずしも、特定の規格および関連付けられたプロトコルに用途が限定されないことを理解されたい。むしろ、ＵＥ送受信機２３０および基地局送受信機２１０は、将来的規格またはその変形例を含む、代替または付加的無線データ通信プロトコルをサポートするように構成されてもよい。
【００２４】
種々の実施形態によると、ＢＳ２０２は、例えば、進化型ノードＢ（ｅＮＢ）、サービングｅＮＢ、標的ｅＮＢ、フェムトステーション、またはピコステーションであってもよい。いくつかの実施形態では、ＵＥ２０４は、携帯電話、スマートフォン、携帯情報端末（ＰＤＡ）、タブレット、ラップトップコンピュータ、ウェアラブルコンピューティングデバイス等の種々のタイプのユーザデバイスにおいて具現化されてもよい。プロセッサモジュール２１４および２３６は、本明細書に説明される機能を実施するように設計される、汎用プロセッサ、コンテンツアドレス指定可能メモリ、デジタル信号プロセッサ、特定用途向け集積回路、フィールドプログラマブルゲートアレイ、任意の好適なプログラマブル論理デバイス、離散ゲートまたはトランジスタ論理、離散ハードウェアコンポーネント、または任意のそれらの組み合わせとともに実装または実現されてもよい。このように、プロセッサは、マイクロプロセッサ、コントローラ、マイクロコントローラ、状態機械、または同等物として実現され得る。プロセッサはまた、コンピューティングデバイスの組み合わせ、例えば、デジタル信号プロセッサおよびマイクロプロセッサ、複数のマイクロプロセッサ、デジタル信号プロセッサコアと併せた１つ以上のマイクロプロセッサ、または任意の他のそのような構成の組み合わせとして実装されてもよい。
【００２５】
さらに、本明細書に開示される実施形態に関連して説明される方法またはアルゴリズムのステップは、直接、それぞれ、プロセッサモジュール２１４および２３６によって実行される、ハードウェア、ファームウェア、ソフトウェアモジュール、または任意の実践的それらの組み合わせにおいて具現化されてもよい。メモリモジュール２１６および２３４は、ＲＡＭメモリ、フラッシュメモリ、ＲＯＭメモリ、ＥＰＲＯＭメモリ、ＥＥＰＲＯＭメモリ、レジスタ、ハードディスク、可撤性ディスク、ＣＤ−ＲＯＭ、または当技術分野において公知の任意の他の形態の記憶媒体として実現され得る。この点において、メモリモジュール２１６および２３４は、それぞれ、プロセッサモジュール２１０および２３０が、それぞれ、メモリモジュール２１６および２３４から情報を読み取り、そこに情報を書き込み得るように、プロセッサモジュール２１０および２３０に結合されてもよい。メモリモジュール２１６および２３４はまた、その個別のプロセッサモジュール２１０および２３０の中に統合されてもよい。いくつかの実施形態では、メモリモジュール２１６および２３４はそれぞれ、それぞれ、プロセッサモジュール２１０および２３０によって実行される命令の実行の間、一時的変数または他の中間情報を記憶するために、キャッシュメモリを含んでもよい。メモリモジュール２１６および２３４はまたそれぞれ、それぞれ、プロセッサモジュール２１０および２３０によって実行されるための命令を記憶するために、不揮発性メモリを含んでもよい。
【００２６】
ネットワーク通信モジュール２１８は、概して、基地局送受信機６０２と、基地局２０２と通信するように構成される、他のネットワークコンポーネントおよび通信デバイスとの間の双方向通信を可能にする、基地局２０２のハードウェア、ソフトウェア、ファームウェア、処理論理、および／または他のコンポーネントを表す。例えば、ネットワーク通信モジュール２１８は、インターネットまたはＷｉＭＡＸトラフィックをサポートするように構成されてもよい。典型的展開では、限定ではないが、ネットワーク通信モジュール２１８は、基地局送受信機２１０が、従来のＥｔｈｅｒｎｅｔ（登録商標）ベースのコンピュータネットワークと通信し得るように、８０２．３Ｅｔｈｅｒｎｅｔ（登録商標）インターフェースを提供する。このように、ネットワーク通信モジュール２１８は、コンピュータネットワーク（例えば、移動交換局（ＭＳＣ））への接続のための物理インターフェースを含んでもよい。
【００２７】
再び図１を参照すると、上記に議論されるように、ＢＳ１０２が、データを伝送し、ＵＥ１０４から受信する準備ができると、チャネル推定プロセスが、典型的には、ＢＳが、実際に、データを伝送し、ＵＥ１０４から受信する前に、実施される。そのようなチャネル推定プロセスの間、１つ以上の基準信号は、典型的には、１つ以上の物理チャネルを介して、ＢＳ１０２からＵＥ１０４に伝送される。代替実施形態では、１つ以上の基準信号は、ＵＥ１０４からＢＳ１０２に伝送されることができる。
【００２８】
図３は、いくつかの実施形態による、基準信号（ＲＳ）シーケンスを生成するプロセス３００のフローチャートを図示する。動作３０１では、初期化値（例えば、ｃｉｎｉｔ）が、判定される。初期化値を判定または計算する実施例は、下記にさらに詳細に議論されるであろう。次に、動作３０３では、初期化値は、所定の数Ｍ未満であるように限定され、限定された初期化値を提供し、Ｍは、正の整数である。初期化値をＭ未満であるように限定する技法の実施例は、下記にさらに詳細に議論される。次に、動作３０５では、限定された初期化値は、所定の関数に従って、所定の固定長Ｌの初期化シーケンスの中にマッピングされる。限定された初期化値をマッピングする技法の実施例は、下記にさらに詳細に議論される。動作３０７では、初期化シーケンスは、擬似乱数生成器（ＰＲＮＧ）に提供され、擬似乱数シーケンス（ＰＲＮＳ）を生成する。動作３０９では、ＰＲＮＳは、従来の技法に従って、ＲＳシーケンスを生成するために使用される。
【００２９】
図４は、一実施形態による、基準信号シーケンスを生成するための初期化シーケンスを生成するためのプロセス４００のプロセスフローを図示する。いくつかの実施形態によると、ＬＴＥに類似する方法が、セル間のＣＲＩ−ＲＳ干渉をランダム化するためのＮＲ  ＣＳＩ−ＲＳシーケンス生成のために実装される。ＬＴＥでは、上記に議論されるように、ランダムＲＳシーケンスは、擬似乱数シーケンス（ＰＲＮＳ）から生成され、これは、ひいては、擬似乱数生成器（ＰＲＮＧ）から生成される。いくつかの実施形態によると、ＰＲＮＧは、固定長Ｌを有する初期化シーケンスで初期化される。
【００３０】
上記に議論されるように、初期化シーケンスは、初期化値（ｃｉｎｉｔ）から導出される。いくつかの実施形態によると、ｃｉｎｉｔは、各ＯＦＤＭシンボルの開始に、以下のように計算され、
【数１】
2020530212.tif 000003
ｃｉｎｉｔは、初期化値であり、ｎｓ’は、ＯＦＤＭフレーム内のスロットインデックスであり、ｌは、ＯＦＤＭインデックスであり、
【数２】
2020530212.tif 000004
は、セルのインデックス（またはセルＩＤ）であり、ＮＣＰは、通常巡回プレフィックス（ＣＰ）に関しては、１と、拡張ＣＰに関しては、０と等しい。
【数３】
2020530212.tif 000005
の値は、上位層によって構成されない限り、
【数４】
2020530212.tif 000006
と等しい。
【数５】
2020530212.tif 000007
の値の範囲は、セルを区別し、セルのランダム化を達成するために実装される。いくつかの実施形態によると、
【数６】
2020530212.tif 000008
値範囲は、セルＩＤの値範囲から生じ、これは、５Ｇ  ＮＲプロトコルでは、最大値１００７（例えば、ｍａｘ（ＮＩＤ）＝１００７）を有するであろう。いくつかの実施形態では、上記の方程式における値「７」は、「１４」に変化されることができる。
【００３１】
５Ｇ  ＮＲネットワークは、例えば、最大値１２０ＫＨｚを伴う、可変サブキャリア間隔（ＳＣＳ）をサポートするであろうことが検討される。故に、
【数７】
2020530212.tif 000009
の最大値は、１１２７であることができ、ｌは、ＳＣＳに比例する、ＯＦＤＭインデックス（例えば、ＯＦＤＭシンボルまたはサブキャリアインデックス）である。上記に基づいて、初期化値式ｍａｘ（ｃｉｎｉｔ）＝２１０＊（１１２７）＊（２＊１００７＋１）＋（２＊１００７＋１）＝２．３２５４ｅ＋００９またはｌｏｇ２（ｍａｘ（ｃｉｎｉｔ））＝３１．１１４８である。いくつかの実施形態によると、初期化シーケンスｘ２（ｉ）は、以下の級数方程式を使用して生成され、
【数８】
2020530212.tif 000010
式中、ｉは、０〜３０と等しい（すなわち、Ｌ＝３１）。したがって、初期化シーケンスｘ２（ｉ）は、上記に議論されるように、ＰＲＮＧによって要求される初期化シーケンスの固定長に対応する、３１の初期化値を含むであろう。しかしながら、本初期化方法下では、上記に議論されるように、５Ｇ  ＮＲネットワークにおけるＮＩＤおよびｌの増加されたパラメータ値に起因して、ｃｉｎｉｔの最大値は、２＾３１より大きく、これは、３２の初期化シーケンス値をもたらすであろう。言い換えると、５Ｇ  ＮＲネットワークの入力パラメータを使用して、ｃｉｎｉｔを計算すると、ｃｉｎｉｔの最大値は、３２の初期化シーケンス値を生成することができる一方、ＰＲＮＧによって利用される初期化値の数は、３１のみである。
【００３２】
図４を依然として参照すると、動作４０１では、ｃｉｎｉｔの最大値は、上記に議論される方程式および入力パラメータを使用して、５Ｇ  ＮＲネットワークのために計算される。次に、動作４０３では、ｃｉｎｉｔ値は、マッピング関係
【数９】
2020530212.tif 000011
を使用して、Ｋシーケンス値を有するシーケンスｘ（ｉ）にマッピングされ、式中、ｉは、０〜Ｋ−１のインデックス値であり、Ｋは、Ｌより大きい正の整数であり、Ｌは、ＰＲＮＧに提供されることになる初期化シーケンスの固定数のシーケンス値である。次に、動作４０５では、最低Ｌインデックス値に対応するＬ値を選択し、Ｌシーケンス値：ｘ（０），ｘ（１），．．．ｘ（ｉ），．．．ｘ（Ｌ−１）を含有する新しいシーケンスを形成する。次に、動作４０７では、Ｌシーケンス値を含有する新しいシーケンスは、初期化シーケンスとしてＰＲＮＧに提供され、ＰＲＮシーケンスを生成する。その後、ＰＲＮシーケンスは、従来の技法に従って、ＲＳシーケンスを生成するために使用される。いくつかの実施形態によると、ＢＳプロセッサモジュール２１４（図２）は、本明細書に説明されるように、ＰＲＮＧの動作を実施し、かつ基準信号シーケンスをＰＲＮシーケンスから生成するように構成される。代替実施形態では、ＵＥプロセッサモジュール２３６（図２）は、本明細書に説明されるように、ＰＲＮＧの動作を実施し、かつ基準信号シーケンスをＰＲＮシーケンスから生成するように構成されることができる。
【００３３】
図５は、別の実施形態による、基準信号シーケンスを生成するための初期化シーケンスを生成するためのプロセス５００のプロセスフローを図示する。動作５０１では、初期化値ｃｉｎｉｔは、上記に議論されるように、５Ｇ  ＮＲネットワークのパラメータを使用して計算される。動作５０３では、ｃｉｎｉｔの計算される値は、所定の値Ｍより小さくなるように限定され、新しい初期化値ｃ’ｉｎｉｔを提供する。いくつかの実施形態では、Ｍは、２＾３１と等しくなるように設定される。代替実施形態では、Ｍは、２＾Ｌ等の他の値に設定されることができ、Ｌは、例えば、３２または３３であることができる。次に、動作５０５では、新しい初期化値ｃ’ｉｎｉｔは、長さＬの初期化シーケンス：ｘ（０），ｘ（１），．．．ｘ（Ｌ−１）をマッピングするために使用される。動作５０７では、初期化シーケンスは、ＰＲＮＧに提供され、ＰＲＮシーケンスを生成する。その後、ＲＳシーケンスは、従来の技法を使用して、ＰＲＮシーケンスから生成されることができる。
【００３４】
種々の技法が、上記に議論される動作５０３において、値ｃｉｎｉｔをＭより低くなるように限定し、新しい初期化値ｃ’ｉｎｉｔを提供するために実装されることができる。例えば、いくつかの実施形態では、ｃｉｎｉｔ＜Ｍである場合、ｃ’ｉｎｉｔ＝ｃｉｎｉｔであり、ｃｉｎｉｔ＞＝Ｍの場合、ｃ’ｉｎｉｔ＝Ｍ−１である。別の実施例として、いくつかの実施形態によると、ｃ’ｉｎｉｔは、方程式：ｃ’ｉｎｉｔ＝ｍｏｄ（ｃｉｎｉｔ，Ｍ）に基づいて判定され、式中、ｍｏｄ（ｃｉｎｉｔ，Ｍ）は、ｃｉｎｉｔおよびＭのモジュロ演算を表し、これは、ｃｉｎｉｔがＭによって除算された後、残余を返す。代替実施形態によると、ｃ’ｉｎｉｔ＝ｆｌｏｏｒ（ｃｉｎｉｔ＊Ｍ／（Ｕ＋１））であり、式中、「＊」は、乗算関数であり、「／」は、除算関数であり、Ｕは、入力パラメータｃｉｎｉｔの最大可能値であり、関数ｆｌｏｏｒ（ａ）は、ａの整数部分と等しい。上記の技法のうちの任意の１つに従ってｃ’ｉｎｉｔを判定した後、ｃ’ｉｎｉｔは、次いで、動作５０５において、長さＬの初期化シーケンスの中にマッピングされ、マッピングは、マッピング関係：
【数１０】
2020530212.tif 000012
に従って実施される。
【００３５】
図６は、別の実施形態による、基準信号シーケンスを生成するための初期化シーケンスを生成するための、プロセス６００のプロセスフローを図示する。動作６０１では、スロットインデックスｎｉまたはＮＩＤ等の入力パラメータは、所定の値Ｎより小さくなるように限定され、５Ｇ  ＮＲネットワークにおいて、新しい限定された値を提供する。動作６０３では、値は、初期化値ｃｉｎｉｔを生成するために使用される。例えば、ｎｉが、限定されるべきパラメータである場合、Ｎは、スロット内のＯＦＤＭシンボル数に従って、１０に設定されることができる（スロット内に１４  ＯＦＤＭシンボルの場合）または２０（スロット内に７  ＯＦＤＭシンボルの場合）。限定されたパラメータｓは、次いで、初期化値ｃｉｎｉｔ＝ｆを生成するために使用され、ｆは、ｓの所定の関数である。動作６０５では、値ｃｉｎｉｔは、長さＬの初期化シーケンスの中にマッピングされる。次に、動作６０７では、初期化シーケンスは、ＰＲＮＧに提供され、ＰＲＮシーケンスを生成する。その後、ＲＳシーケンスは、従来の技法を使用して、ＰＲＮシーケンスから生成されることができる。
【００３６】
種々の技法が、上記に議論されるように、動作６０１において、入力パラメータ（例えば、ｎｉまたはＮＩＤ）の値をＮより低くなるように限定し、新しい初期化値ｓを提供するように実装されることができる。例えば、いくつかの実施形態では、ｎｉ＜Ｎである場合、ｎ’ｉ＝ｎｉであり、ｎｉ＞＝Ｎである場合、ｎ’ｉ＝Ｎ−１である。別の実施例として、いくつかの実施形態によると、ｎ’ｉは、方程式：ｎ’ｉ＝ｍｏｄ（ｎｉ，Ｎ）に基づいて判定され、式中、ｍｏｄ（ｎｉ，Ｍ）は、ｎｉおよびＮのモジュロ演算を表し、これは、ｎｉがＮによって除算された後、残余を返す。代替実施形態によると、ｎ’ｉ＝ｆｌｏｏｒ（ｎｉ＊Ｎ／（Ｕ＋１））であり、Ｕは、入力パラメータｎｉの最大可能値であり、関数ｆｌｏｏｒ（ａ）は、ａの整数部分と等しい。
【００３７】
いくつかの実施形態によると、ｃｉｎｉｔの最大値は、２＾３１に限定される。または代替として、いくつかの実施形態によると、
【数１１】
2020530212.tif 000013
であり、
これは、ｃ’ｉｎｉｔによって生成された最初の３１シーケンス値に対応する初期化シーケンスを生成するであろう、値ｃｉｎｉｔをもたらす。いくつかの代替実施形態によると、値ｃｉｎｉｔは、以下：ｎ’ｓ＝ｍｏｄ（ｎｓ，２０）のように、値ｎ’ｓを限定することによって限定される。したがって、値ｃｉｎｉｔは、結果として生じる初期化シーケンスが、３１シーケンス値のみを含有するであろうように、最大値２＾３１に限定されることができる。
【００３８】
いくつかの他の実施形態によると、新しい修正された値ｃｉｎｉｔは、以下のように計算される。
【数１２】
2020530212.tif 000014
式中、
【数１３】
2020530212.tif 000015
である。結果として生じるｃ’ｉｎｉｔ値は、次いで、３１初期化シーケンス値のみを含有する、初期化シーケンスを生成するために使用されることができる。
【００３９】
代替実施形態によると、ｃｉｎｉｔの代わりに、入力パラメータｕが、時間を表してもよい。例えば、入力パラメータｕは、時間インターバルのインデックスからのインデックス値であることができる。いくつかの実施形態によると、時間インターバルのインデックスは、フレーム内のスロットのインデックスまたはスロット内のＯＦＤＭシンボルのインデックスであることができる。他の実施形態では、当技術分野において公知のように、直交周波数分割多重化（ＯＦＤＭ）シンボルのインデックスからのインデックス値でありもよい。代替として、入力パラメータは、いくつかの実施形態によると、時間インターバルのインデックスの所定の関数として判定されてもよい。いくつかの他の実施形態では、入力パラメータは、ＯＦＤＭシンボルの時間インターバルインデックスの関数である。そのような関数の一実施例は、ｕ＝７（ｎｓ＋１）＋ｌ＋１によって提供され、式中、ｕは、入力パラメータであり、ｎｓは、スロットインデックスであり、ｌは、ＯＦＤＭインデックスである。
【００４０】
図７は、いくつかの実施形態による、限定された初期化値を生成するための時間を表し、次いで、ＲＳシーケンスを生成するための初期化シーケンスを生成するために使用される、入力パラメータを使用した、プロセス７００のためのフローチャートを図示する。ステップ７０１では、時間値を表す、入力パラメータが、所定の値Ｎより小さくなるように限定される。いくつかの実施形態では、Ｎは、規定されたスロット内に含有されるＯＦＤＭシンボルの数の関数である。いくつかの実施形態によると、例えば、スロットが、Ｔ  ＯＦＤＭシンボルを含有する場合、Ｎ＝２０＊７／Ｔであり、例えば、Ｔ＝７である場合、Ｎ＝２０である、またはＴ＝１４である場合、Ｎ＝１０である。
【００４１】
他の実施形態では、Ｎは、時間入力パラメータによって使用される値の数である。いくつかの実施形態によると、例えば、時間入力パラメータの値は、｛ｕ０，ｕ１，．．，ｕＱ−１｝であり、Ｑは、これらの値の数であり、Ｎは、Ｑと等しい。いくつかの実施形態によると、入力パラメータ値ｕは、例えば、上記に議論されるように、以下、すなわち、ｖ＝ｍｏｄ（ｕ，Ｎ）のように、ｕおよびＮを使用して、モジュロ演算を実施することによって、Ｎ未満であるように限定されることができる。結果として生じる値ｖは、次いで、初期化値ｃｉｎｉｔを生成するために使用される。初期化値ｃｉｎｉｔは、所定の長さ（例えば、Ｌ）の初期化シーケンスの中にマッピングされ、これは、次いで、上記に議論されるように、ＲＳシーケンスを生成するために使用されることができる。
【００４２】
時間を表す、入力パラメータの値は、ステップ７０１において、Ｎより小さくなるように限定された後、ステップ７０３において、したがって、限定された入力パラメータＶは、初期化値ｃｉｎｉｔを計算するために使用される。次に、動作７０５では、初期化値ｃｉｎｉｔは、所定の長さＬを有する初期化シーケンスの中にマッピングされる。次に、ステップ７０７では、初期化シーケンスは、ＰＲＮＧに提供され、ＰＲＮシーケンスを生成する。その後、ＲＳシーケンスは、従来の技法を使用して、ＰＲＮシーケンスから生成されることができる。
【００４３】
本発明の種々の実施形態が、上記に説明されたが、それらは、限定としてではなく、実施例としてのみ提示されたことを理解されたい。同様に、種々の略図は、例示的アーキテクチャまたは構成を描写し得、これは、当業者が、本発明の例示的特徴および機能を理解することを可能にするために提供される。しかしながら、そのような当業者は、本発明は、図示される例示的アーキテクチャまたは構成に制限されず、種々の代替アーキテクチャおよび構成を使用して実装されることができることを理解するであろう。
【００４４】
加えて、当業者によって理解されるであろうように、一実施形態の１つ以上の特徴は、本明細書に説明される別の実施形態の１つ以上の特徴と組み合わせられることができる。したがって、本開示の範疇および範囲は、上記に説明される例示的実施形態のいずれかによって限定されるべきではない。
【００４５】
また、「第１」、「第２」等の指定を使用した本明細書における要素の任意の参照は、概して、それらの要素量または順序を限定するものではないことを理解されたい。むしろ、これらの指定は、本明細書では、２つ以上の要素または要素のインスタンス間で区別する便宜的手段として使用されることができる。したがって、第１および第２の要素の参照は、２つのみの要素が採用され得る、または第１の要素がある様式において、第２の要素に先行しなければならないことを意味するものではない。
【００４６】
加えて、当業者は、情報および信号が種々の異なる技術および技法のいずれかを使用して表されることができることを理解するであろう。上記の説明において参照され得る、例えば、データ、命令、コマンド、情報、信号、ビット、およびシンボルは、例えば、電圧、電流、電磁波、磁場または粒子、光場または粒子、もしくは任意のそれらの組み合わせによって表されることができる。
【００４７】
当業者はさらに、本明細書に開示される側面に関連して説明される、種々の例証的論理ブロック、モジュール、プロセッサ、手段、回路、方法、および機能のいずれかが、電子ハードウェア（例えば、デジタル実装、アナログ実装、またはその２つの組み合わせ）、ファームウェア、命令を組み込む種々の形態のプログラムまたは設計コード（本明細書では、便宜上、「ソフトウェア」または「ソフトウェアモジュールと称され得る）、もしくはこれらの技法の任意の組み合わせによって実装されることができることを理解するであろう。ハードウェア、ファームウェア、およびソフトウェアの本可換性を明確に図示するために、種々の例証的コンポーネント、ブロック、モジュール、回路、およびステップは、概して、その機能性の観点から上記に説明されている。そのような機能性が、ハードウェア、ファームウェア、またはソフトウェア、またはこれらの技法の組み合わせとして実装されるかどうかは、特定の用途および全体的システム上に課される設計制約に依存する。当業者は、説明される機能性を特定の用途毎に種々の方法で実装することができるが、そのような実装決定は、本開示の範囲からの逸脱を生じさせるものではない。
【００４８】
種々の実施形態によると、プロセッサ、デバイス、コンポーネント、回路、構造、機械、モジュール等は、本明細書に説明される機能のうちの１つ以上を実施するように構成されることができる。規定された動作または機能に関する、用語「〜ように構成される（ｃｏｎｆｉｇｕｒｅｄ  ｔｏ）」または「〜のために構成される（ｃｏｎｆｉｇｕｒｅｄ  ｆｏｒ）」は、本明細書で使用されるように、規定された動作または機能を実施するように物理に構築される、プログラムされる、および／または配列される、プロセッサ、デバイス、コンポーネント、回路、構造、機械、モジュール等を指す。
【００４９】
さらに、当業者は、本明細書に説明される種々の例証的論理ブロック、モジュール、デバイス、コンポーネント、および回路が、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、もしくは任意のそれらの組み合わせを含み得る、集積回路（ＩＣ）内に実装される、またはそれによって実施されることができることを理解するであろう。論理ブロック、モジュール、および回路はさらに、アンテナおよび／または送受信機を含み、ネットワークまたはデバイス内の種々のコンポーネントと通信することができる。汎用プロセッサは、マイクロプロセッサであることができるが、代替として、プロセッサは、任意の従来のプロセッサ、コントローラ、または状態機械であることができる。プロセッサはまた、コンピューティングデバイス、例えば、ＤＳＰおよびマイクロプロセッサ、複数のマイクロプロセッサ、ＤＳＰコアと併せた１つ以上のマイクロプロセッサの組み合わせ、または本明細書に説明される機能を実施するための任意の他の好適な構成の組み合わせとして実装されることができる。
【００５０】
ソフトウェア内に実装される場合、機能は、１つ以上の命令またはコードとして、コンピュータ可読媒体上に記憶されることができる。したがって、本明細書に開示される方法またはアルゴリズムのステップは、コンピュータ可読媒体上に記憶されるソフトウェアとして実装されることができる。コンピュータ可読媒体は、コンピュータ記憶媒体および通信媒体の両方を含み、コンピュータプログラムまたはコードを１つの場所から別の場所に転送するように可能にされ得る、任意の媒体を含む。記憶媒体は、コンピュータによってアクセスされ得る、任意の利用可能な媒体であることができる。限定ではなく、一例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、もしくは所望のプログラムコードを命令またはデータ構造の形態で記憶するために使用され得、かつコンピュータによってアクセスされ得る、任意の他の媒体を含むことができる。
【００５１】
本書では、用語「モジュール」は、本明細書で使用されるように、ソフトウェア、ファームウェア、ハードウェア、および本明細書に説明される関連付けられた機能を実施するためのこれらの要素の任意の組み合わせを指す。加えて、議論の目的のために、種々のモジュールは、離散モジュールとして説明される。しかしながら、当業者に明白となるであろうように、２つ以上のモジュールが、組み合わせられ、本発明の実施形態に従って関連付けられた機能を実施する、単一モジュールを形成してもよい。
【００５２】
加えて、メモリまたは他の記憶装置ならびに通信コンポーネントが、本発明の実施形態において採用されてもよい。明確にする目的のために、上記の説明は、異なる機能ユニットおよびプロセッサを参照して本発明の実施形態を説明していることを理解されたい。しかしながら、異なる機能ユニット、処理論理要素、またはドメイン間の機能性の任意の好適な分布が、本発明から逸脱することなく使用されてもよいことが明白であろう。例えば、別個の処理論理要素またはコントローラによって実施されるように例証される機能性は、同一処理論理要素またはコントローラによって実施されてもよい。故に、具体的機能ユニットの参照は、厳密な論理または物理構造もしくは編成を示すのではなく、説明される機能性を提供するための好適な手段の参照にすぎない。
【００５３】
本開示に説明される実装の種々の修正が、当業者に容易に明白となり、本明細書に定義された一般的原理は、本開示の範囲から逸脱することなく、他の実装に適用されることができる。したがって、本開示は、本明細書に示される実装に限定されることを意図するものではなく、下記の請求項において制限されるように、本明細書に開示される新規特徴および原理と一致する最広範囲と見なされる。
【図１】
2020530212.tif 000020
【図２】
2020530212.tif 000021
【図３】
2020530212.tif 000022
【図４】
2020530212.tif 000023
【図５】
2020530212.tif 000024
【図６】
2020530212.tif 000025
【図７】
2020530212.tif 000026
【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
無線通信デバイスにおいて基準信号シーケンスを生成するための方法であって、前記方法は、
初期化値を判定することと、
前記初期化値を所定の正の整数Ｍ未満であるように限定し、限定された初期化値を提供することであって、前記初期化値を限定することは、前記初期化値にモジュロ演算を実施することを含み、前記モジュロ演算において、前記初期化値は、被除数であり、Ｍは、除数である、ことと、
前記限定された初期化値を、所定の数Ｌのシーケンス値を有する初期化シーケンスの中にマッピングすることであって、Ｌは、整数であり、前記初期化シーケンスの所定の最大の長さを表す、ことと、
前記初期化シーケンスを擬似乱数生成器に提供し、擬似乱数シーケンスを生成することと、
前記擬似乱数シーケンスに基づいて、前記基準信号シーケンスを生成することと
を含む、方法。
【請求項２】
前記初期化値ｃｉｎｉｔは、前記擬似乱数シーケンスに提供される前記初期化シーケンス内の要素の数と等しいＬ、ＯＦＤＭフレーム内のスロットインデックスであるｎｓ’、ＯＦＤＭシンボルインデックスであるｌ、セルインデックスである
【数２１】
2020530212.tif 000027
、および、ＯＦＤＭシンボルの巡回プレフィックスに関連するパラメータであるＮＣＰに基づいて計算される、請求項１に記載の方法。
【請求項３】
Ｍは、２のＬ乗と等しい、請求項１に記載の方法。
【請求項４】
前記初期化値を限定することは、前記初期化値を計算するために使用される入力パラメータを所定の整数Ｎ未満であるように限定することを含む、請求項１に記載の方法。
【請求項５】
前記入力パラメータは、時間値を表す、請求項４に記載の方法。
【請求項６】
前記限定された入力パラメータ値は、前記入力パラメータ値およびＮで実施されるモジュロ演算に基づいて計算される、請求項４に記載の方法。
【請求項７】
前記入力パラメータは、セルインデックスを備える、請求項４に記載の方法。
【請求項８】
チャネル推定を実施するための基準信号シーケンスを生成するように構成された無線通信デバイスであって、前記無線通信デバイスは、
少なくとも１つのプロセッサであって、前記少なくとも１つのプロセッサは、
初期化値を判定することと、
前記初期化値を所定の値Ｍ未満であるように限定し、限定された初期化値を提供することであって、Ｍは、正の整数であり、前記初期化値を限定するために、前記少なくとも１つのプロセッサは、前記初期化値にモジュロ演算を実施するようにさらに構成され、前記モジュロ演算において、前記初期化値は、被除数であり、Ｍは、除数である、ことと、
前記限定された初期化値を、所定の数Ｌのシーケンス値を有する初期化シーケンスの中にマッピングすることであって、Ｌは、整数であり、前記初期化シーケンスの所定の最大の長さを表す、ことと、
前記初期化シーケンスを擬似乱数生成器に提供し、擬似乱数シーケンスを生成することと、
前記擬似乱数シーケンスに基づいて、前記基準信号シーケンスを生成することと
を行うように構成されている、少なくとも１つのプロセッサと、
前記基準信号シーケンスを別の無線通信デバイスに伝送するように構成された送受信機と
を備える、無線通信デバイス。
【請求項９】
前記初期化値ｃｉｎｉｔは、前記擬似乱数シーケンスに提供される前記初期化シーケンス内の要素の数と等しいＬ、ＯＦＤＭフレーム内のスロットインデックスであるｎｓ’、ＯＦＤＭシンボルインデックスであるｌ、セルインデックスである
【数２３】
2020530212.tif 000028
、および、ＯＦＤＭシンボルの巡回プレフィックスに関連するパラメータであるＮＣＰに基づいて計算される、請求項８に記載の無線通信デバイス。
【請求項１０】
Ｍは、２のＬ乗と等しい、請求項８に記載の無線通信デバイス。
【請求項１１】
Ｌ＝３１である、請求項１０に記載の無線通信デバイス。
【請求項１２】
前記少なくとも１つのプロセッサは、前記初期化値を計算するために使用される入力パラメータを所定の整数Ｎ未満であるように限定することによって、前記初期化値を限定するように構成されている、請求項８に記載の無線通信デバイス。
【請求項１３】
前記入力パラメータは、時間値を表す、請求項１２に記載の無線通信デバイス。
【請求項１４】
前記時間値は、直交周波数分割多重化（ＯＦＤＭ）フレームのスロットインデックスからの値を備える、請求項１３に記載の無線通信デバイス。
【請求項１５】
前記時間値は、直交周波数分割多重化（ＯＦＤＭ）シンボルのインデックスからの値を備える、請求項１３に記載の無線通信デバイス。
【請求項１６】
前記時間値は、規定された時間インターバル内の直交周波数分割多重化（ＯＦＤＭ）シンボルの数の所定の関数から計算される、請求項１３に記載の無線通信デバイス。
【請求項１７】
前記限定された入力パラメータ値は、前記入力パラメータ値およびＮで実施されるモジュロ演算に基づいて計算される、請求項１２に記載の無線通信デバイス。
【請求項１８】
前記入力パラメータは、基地局のインデックスを備える、請求項１２に記載の無線通信デバイス。
【手続補正２】
【補正対象書類名】明細書
【補正対象項目名】０００８
【補正方法】変更
【補正の内容】
【０００８】
別の実施形態では、無線通信デバイスは、少なくとも１つのプロセッサであって、少なくとも１つのプロセッサは、初期化値を判定することと、初期化値を所定の正の整数Ｍ未満であるように限定し、限定された初期化値を提供することと、限定された初期化値を、所定の数Ｌのシーケンス値を有する初期化シーケンスの中にマッピングすることと、初期化シーケンスを擬似乱数生成器（ＰＲＮＧ）に提供し、擬似乱数シーケンス（ＰＲＮＳ）を生成することと、ＰＲＮＳに基づいて、ＲＳシーケンスを生成することとを行うように構成される、少なくとも１つのプロセッサと、ＲＳシーケンスを別の無線通信デバイスに伝送するように構成される、送受信機とを含む。
本願明細書は、例えば、以下の項目も提供する。
（項目１）
無線通信デバイスにおいて基準信号シーケンスを生成するための方法であって、前記方法は、
初期化値を判定することと、
前記初期化値を所定の正の整数Ｍ未満であるように限定し、限定された初期化値を提供することと、
前記限定された初期化値を、所定の数Ｌのシーケンス値を有する初期化シーケンスの中にマッピングすることと、
前記初期化シーケンスを擬似乱数生成器に提供し、擬似乱数シーケンスを生成することと、
前記擬似乱数シーケンスに基づいて、前記基準信号シーケンスを生成することと
を含む、方法。
（項目２）
前記初期化値ｃｉｎｉｔは、前記擬似乱数シーケンスに提供される前記初期化シーケンス内の要素の数と等しい、Ｌに基づいて計算され、ｎｓ’は、ＯＦＤＭフレーム内のスロットインデックスであり、ｌは、ＯＦＤＭシンボルインデックスであり、
【数２１】
2020530212.tif 000029
は、セルインデックスであり、ＮＣＰは、ＯＦＤＭシンボルの巡回プレフィックスに関連するパラメータである、項目１に記載の方法。
（項目３）
前記初期化値ｃｉｎｉｔは、
【数２２】
2020530212.tif 000030
に基づいて計算され、前記所定の値Ｍは、２＾Ｌと等しい、項目２に記載の方法。
（項目４）
ＮＣＰは、通常巡回プレフィックスに関しては、１と、拡張巡回プレフィックスに関しては、０と等しい、項目３に記載の方法。
（項目５）
Ｌ＝３１である、項目３に記載の方法。
（項目６）
前記初期化値を限定することは、前記初期化値を計算するために使用される入力パラメータを所定の整数Ｎ未満であるように限定することを含む、項目１に記載の方法。
（項目７）
前記入力パラメータは、時間値を表す、項目６に記載の方法。
（項目８）
前記時間値は、直交周波数分割多重化（ＯＦＤＭ）フレームのスロットインデックスからの値を備える、項目７に記載の方法。
（項目９）
前記時間値は、直交周波数分割多重化（ＯＦＤＭ）シンボルのインデックスからの値を備える、項目７に記載の方法。
（項目１０）
前記時間値は、規定された時間インターバル内の直交周波数分割多重化（ＯＦＤＭ）シンボルの数の所定の関数から計算される、項目７に記載の方法。
（項目１１）
前記限定された入力パラメータ値は、前記入力パラメータ値およびＮで実施されるモジュロ演算に基づいて計算される、項目６に記載の方法。
（項目１２）
前記入力パラメータは、セルインデックスを備える、項目６に記載の方法。
（項目１３）
チャネル推定を実施するための基準信号シーケンスを生成するように構成された無線通信デバイスであって、前記無線通信デバイスは、
少なくとも１つのプロセッサであって、前記少なくとも１つのプロセッサは、
初期化値を判定することと、
前記初期化値を所定の値Ｍ未満であるように限定し、限定された初期化値を提供することであって、Ｍは、正の整数である、ことと、
前記限定された初期化値を、所定の数Ｌのシーケンス値を有する初期化シーケンスの中にマッピングすることと、
前記初期化シーケンスを擬似乱数生成器に提供し、擬似乱数シーケンスを生成することと、
前記擬似乱数シーケンスに基づいて、前記基準信号シーケンスを生成することと
を行うように構成されている、少なくとも１つのプロセッサと、
前記基準信号シーケンスを別の無線通信デバイスに伝送するように構成された送受信機と
を備える、無線通信デバイス。
（項目１４）
前記初期化値ｃｉｎｉｔは、前記擬似乱数シーケンスに提供される前記初期化シーケンス内の要素の数と等しい、Ｌに基づいて計算され、ｎｓ’は、ＯＦＤＭフレーム内のスロットインデックスであり、ｌは、ＯＦＤＭシンボルインデックスであり、
【数２３】
2020530212.tif 000031
は、セルインデックスであり、ＮＣＰは、ＯＦＤＭシンボルの巡回プレフィックスに関連するパラメータである、項目１３に記載の無線通信デバイス。
（項目１５）
前記初期化値ｃｉｎｉｔは、
【数２４】
2020530212.tif 000032
に基づいて計算され、前記所定の値Ｍは、２＾Ｌと等しい、項目１４に記載の無線通信デバイス。
（項目１６）
ＮＣＰは、通常巡回プレフィックスに関しては、１と、拡張巡回プレフィックスに関しては、０と等しい、項目１５に記載の無線通信デバイス。
（項目１７）
Ｌ＝３１である、項目１５に記載の無線通信デバイス。
（項目１８）
前記少なくとも１つのプロセッサは、前記初期化値を計算するために使用される入力パラメータを所定の整数Ｎ未満であるように限定することによって、前記初期化値を限定するように構成されている、項目１３に記載の無線通信デバイス。
（項目１９）
前記入力パラメータは、時間値を表す、項目１８に記載の無線通信デバイス。
（項目２０）
前記時間値は、直交周波数分割多重化（ＯＦＤＭ）フレームのスロットインデックスからの値を備える、項目１９に記載の無線通信デバイス。
（項目２１）
前記時間値は、直交周波数分割多重化（ＯＦＤＭ）シンボルのインデックスからの値を備える、項目１９に記載の無線通信デバイス。
（項目２２）
前記時間値は、規定された時間インターバル内の直交周波数分割多重化（ＯＦＤＭ）シンボルの数の所定の関数から計算される、項目１９に記載の無線通信デバイス。
（項目２３）
前記限定された入力パラメータ値は、前記入力パラメータ値およびＮで実施されるモジュロ演算に基づいて計算される、項目１８に記載の無線通信デバイス。
（項目２４）
前記入力パラメータは、基地局のインデックスを備える、項目１８に記載の無線通信デバイス。
【国際調査報告】
2020530212.tif 000033
2020530212.tif 000034